(57)【要約】【課題】非選択系伝送路に生じた故障を伝送路を切り替えことなく光伝送路終端装置に通知できる故障監視システムを提供する。【解決手段】伝送路を２重化する第１及び第２の光伝送路の再生中継装置（６，７）は、受信した信号から伝送路に生じた故障の発生を検出する故障検出手段（２４，２４’）をそれぞれ有し、当該故障監視システムは、互いに対をなす再生中継装置（６，７）の故障検出手段から出力された故障情報に基づいて、故障の発生及び故障の発生箇所を特定する情報を含む故障情報を作成する故障箇所特定手段（２５）を有し、当該故障情報を選択系伝送路を介して光伝送路終端装置（１）に送信することを特徴とする。【選択図】　　　　図１
2004104182.tif 000002
【特許請求の範囲】
【請求項１】
光伝送路終端装置と複数の光網終端装置とを光分岐回路及び光線路を介して接続した伝送路分岐多数ユーザ接続ネットワークであって、光伝送路終端装置と光網終端装置との間の伝送路の少なくとも一部が、互いに並列に接続した第１及び第２の光伝送路により２重化され、第１の光伝送路は、光伝送路終端装置から送られてきた信号を再生中継して光網終端装置に向けて出力すると共に光網終端装置から送られてきた信号を再生中継して光伝送路終端装置に向けて出力する１個又は縦続接続した複数の再生中継装置を含み、第２の光伝送路は、光伝送路終端装置から送られてきた信号を再生中継して光網終端装置に向けて出力すると共に光網終端装置から送られてきた信号を再生中継して光伝送路終端装置に向けて出力する１個又は縦続接続した複数の再生中継装置を含み、第１の光伝送路の再生中継装置と第２の光伝送路の再生中継装置とが互いに対をなす伝送路分岐多数ユーザ接続ネットワークの故障監視システムにおいて、
前記第１及び第２の光伝送路の再生中継装置は、受信した信号から伝送路に生じた故障の発生を検出する故障検出手段をそれぞれ有し、
当該故障監視システムは、互いに対をなす再生中継装置の故障検出手段から出力された故障検出情報に基づいて、故障の発生及び故障の発生箇所を特定する情報を含む故障情報を作成する故障箇所特定手段を有し、当該故障情報を選択系伝送路を介して光伝送路終端装置に送信することを特徴とする故障監視システム。
【請求項２】
請求項１に記載の故障監視システムにおいて、前記再生中継装置はＰＬＯＡＭメッセージ作成手段をそれぞれ有し、前記故障箇所特定手段は、故障情報をＰＬＯＡＭメッセージ作成手段にそれぞれ供給し、選択系伝送路の再生中継装置のＰＬＯＡＭメッセージ作成手段を介して故障情報を光伝送路終端装置に送信することを特徴とする故障監視システム。
【請求項３】
光伝送路終端装置と複数の光網終端装置とを光分岐回路及び光線路を介して接続した伝送路分岐多数ユーザ接続ネットワークであって、光伝送路終端装置と光網終端装置との間の伝送路の少なくとも一部が、互いに並列に接続した第１及び第２の光伝送路により２重化され、第１の光伝送路は、光伝送路終端装置から送られてきた信号を再生中継して光網終端装置に向けて出力すると共に光網終端装置から送られてきた信号を再生中継して光伝送路終端装置に向けて出力する１個又は縦続接続した複数の再生中継装置を含み、第２の光伝送路は、光伝送路終端装置から送られてきた信号を再生中継して光網終端装置に向けて出力すると共に光網終端装置から送られてきた信号を再生中継して光伝送路終端装置に向けて出力する１個又は縦続接続した複数の再生中継装置を含み、第１の光伝送路の再生中継装置と第２の光伝送路の再生中継装置とが対をなす伝送路分岐多数ユーザ接続ネットワークの故障監視システムにおいて、
前記再生中継装置は、受信した信号から伝送路に生じた故障の発生を検出する故障検出手段、故障検出手段からの出力に基づいて故障の発生及び故障の発生箇所を特定する情報を含む故障情報を作成する故障箇所特定手段、及びＰＬＯＡＭメッセージ作成手段をそれぞれ有し、
故障箇所特定手段は作成した故障情報をＰＬＯＡＭメッセージ作成手段に送り、選択系伝送路の再生中継装置のＰＬＯＡＭメッセージ作成手段から前記光伝送路終端装置に故障情報を送信することを特徴とする故障監視システム。
【請求項４】
光伝送路終端装置と複数の光網終端装置とが第１及び第２の伝送系により２重化接続されている伝送路分岐多数ユーザ接続ネットワークであって、第１及び第２の伝送系の少なくとも一部が、互いに並列に接続した第１及び第２の光伝送路により２重化され、第１の光伝送路は、光伝送路終端装置から送られてきた信号を再生中継して光網終端装置に向けて出力すると共に光網終端装置から送られてきた信号を再生中継して光伝送路終端装置に向けて出力する１個又は縦続接続した複数の再生中継装置を含み、第２の光伝送路は、光伝送路終端装置から送られてきた信号を再生中継して光網終端装置に向けて出力すると共に光網終端装置から送られてきた信号を再生中継して光伝送路終端装置に向けて出力する１個又は縦続接続した複数の再生中継装置を含み、第１の光伝送路の再生中継装置と第２の光伝送路の再生中継装置とが対をなす伝送路分岐多数ユーザ接続ネットワークの故障監視システムにおいて、
前記第１及び第２の光伝送路の再生中継装置は、受信した信号から伝送路に生じた故障の発生を検出する故障検出手段をそれぞれ有し、
当該故障監視システムは、互いに対をなす再生中継装置の故障検出手段から出力された故障検出情報に基づいて、故障の発生及び故障の発生箇所を特定する情報を含む故障情報を作成する故障箇所特定手段を有し、故障箇所特定手段から出力された故障情報を選択系の光伝送路を経て光伝送路終端装置に送信することを特徴とする故障監視システム。
【請求項５】
光伝送路終端装置と複数の光網終端装置との間の少なくとも一部の伝送路が２本の光伝送路により２重化されている伝送路分岐多数ユーザ接続ネットワークに用いられる再生中継装置であって、
光伝送路終端装置から送られてきた信号を再生中継して光網終端装置に送信する手段と、
光網終端装置から送られてきた信号を再生中継して光伝送路終端装置に送信する手段と、
受信した信号から光伝送路に生じた故障の発生を検出する故障検出手段と、
他方の光伝送路に接続され、対をなす他方の光伝送路の再生中継装置に故障検出情報を送信する手段と、
前記対をなす他方の光伝送路の再生中継装置から送られてきた故障検出情報を受信する手段と、
当該再生中継装置の故障検出手段からの故障検出情報と、対をなす他方の光伝送路の再生中継装置の故障検出手段からの故障検出情報とを用いて故障の発生箇所を特定する手段と、
前記故障箇所特定手段からの出力信号に基づいて、故障の発生及び発生箇所に関する情報を含む故障情報を作成する手段とを具えることを特徴とする再生中継装置。
【発明の詳細な説明】
【０００１】
【発明の属する技術分野】
本発明は、伝送路分岐多数ユーザ接続ネットワーク（Ｐａｓｓｉｖｅ　Ｏｐｔｉｃａｌ　Ｎｅｔｗｏｒｋ　；ＰＯＮ）の故障監視システム及び再生中継装置に関するものである。
【０００２】
【従来の技術】
Ｂ−ＰＯＮ（Ｂｒｏａｄｂａｎｄ　Ｐａｓｓｉｖｅ　Ｏｐｔｉｃａｌ　Ｎｅｔｗｏｒｋ）　は、ＯＬＴ（Ｏｐｔｉｃａｌ　Ｌｉｎｅ　Ｔｅｒｍｉｎａｌ；光伝送路終端装置）とＯＮＴ（Ｏｐｔｉｃａｌ　Ｎｅｔｗｏｒｋ　Ｔｅｒｍｉｎａｌ；光綱終端装置）との間でＡＴＭ（Ａｓｙｎｃｈｒｏｎｏｕｓ　Ｔｒａｎｓｆｅｒ　Ｍｏｄｅ）セルの伝送を行う技術であり、ＩＴＵ−Ｔ勧告Ｇ．９８３．１にその機能が規定されている。
【０００３】
Ｂ−ＰＯＮレピータ（Ｂ−ＰＯＮ　Ｒｅｐｅａｔｅｒ；Ｂ−ＰＯＮ再生中継装置）は、ＯＬＴとＯＮＴとの間に設置され、ＯＬＴからの信号をＯＮＴへ再生中継し、ＯＮＴからの信号をＯＬＴへ再生中継する（例えば、非特許文献１参照）。
【０００４】
２重化Ｂ−ＰＯＮレピータシステムは、Ｂ−ＰＯＮレピータを２重化して信頼度を向上させる技術である。２個のＢ−ＰＯＮレピータは光スプリッタを介してＯＬＴと接続する。また、その２個のＢ−ＰＯＮレピータは光スプリッタを介してＯＮＴと接続する。２個のＢ−ＰＯＮレピータのうち一方の光伝送路だけが選択系となり、他方の光伝送路のＢ−ＰＯＮレピータは非選択系となる。どちらの光伝送路が選択系となるかはＯＬＴが決定する。選択系光伝送路に接続されたＢ−ＰＯＮレピータは、ＯＬＴから送られてきた信号を再生中継してＯＮＴへ送信し、ＯＮＴから送られてきた信号を再生中継してＯＬＴへ送信する。非選択系のＢ−ＰＯＮレピータは、ＯＬＴから受信した信号をＯＮＴへ送信せず、ＯＮＴから送られてきた信号をＯＬＴへ送信しない。２重化Ｂ−ＰＯＮレピータに関する具体的な従来技術として、例えば非特許文献２が挙げられる。
【０００５】
ＯＬＴは、原則として、信号伝送を行う選択系のＢ−ＰＯＮレピータから受信した信号に異常を検出すると、非選択系のＢ−ＰＯＮレピータに切替を行う。ここで、切替とは、それまで選択系だったＢ−ＰＯＮレピータを選択系とし、それまで非選択系だったＢ−ＰＯＮレピータを選択系とすることである。ＯＬＴと選択系Ｂ−ＰＯＮレピータとの間の光ファイバに断線等の故障が発生した場合、ＯＬＴは受信信号の異常を検出しＢ−ＰＯＮレピータの切替を行う。選択系のＢ−ＰＯＮレピータとＯＮＴとの間の光ファイバに断線等の故障が発生した場合、ＯＬＴは受信信号の異常を検出し伝送路の切替を行う。
【０００６】
【非特許文献１】
信学技報ＣＳ２００１−２３、第３７−４２頁）
【非特許文献２】
信学会全大会（２００２年３月）、Ｂ−８−４５「Ｂ−ＰＯＮレピータ信頼度向上法」
【０００７】
【発明が解決しようとする課題】
さて、Ｂ−ＰＯＮレピータとＯＮＴとの間に設置される光スブリツタで、Ｂ−ＰＯＮレピータに最も近い光スプリッタを光スプリッタＡと呼ぶことにする。光スプリッタＡと選択系Ｂ−ＰＯＮレピータの間の光ファイバに断線等の故障が発生した場合、ＯＬＴは信号の異常を検出可能である。しかしながら、光スプリッタＡと非選択系のＢ−ＰＯＮレピータとの間の光ファイバに断線等の故障が発生しても、非選択系のＢ−ＰＯＮレピータはＯＮＴからの受信信号をＯＬＴへ送信しないので、ＯＬＴは光スプリッタＡと非選択系のＢ−ＰＯＮレピータとの間の光ファイバに生じた故障を検出できない。このような故障が発生している状態で、選択系のＢ−ＰＯＮレピータ又は選択系Ｂ−ＰＯＮレピータが接続されている伝送路に故障が発生すると、ＯＬＴはＢ−ＰＯＮレピータの切替を行うが、切替を行った後に始めて、非選択系だったＢ−ＰＯＮレピータとＯＮＴとの間の光ファイバに故障が発生していたことを検出する。この状況は、両方の系が故障している状況であり、どちらかの故障を回復させるまで通信が途絶えてしまう。
【０００８】
以上説明したように、非選択系のＢ−ＰＯＮレピータが選択系になるまで、非選択系のＢ−ＰＯＮレピータと光スプリッタＡとの間の光ファイバに故障が発生しているということを検出できない、という問題があった。
本発明の目的は、非選択系伝送路に故障や信号伝送故障が発生した場合、系の切替を行うことなく、故障の発生を直ちに検出し、ＯＬＴに通知することができる
故障監視システムを提供することにある。
【０００９】
【課題を解決するための手段】
上記課題を解決するため、本発明による故障監視システムは、光伝送路終端装置と複数の光網終端装置とを光分岐回路及び光線路を介して接続した伝送路分岐多数ユーザ接続ネットワークであって、光伝送路終端装置と光網終端装置との間の伝送路の少なくとも一部が、互いに並列に接続した第１及び第２の光伝送路により２重化され、第１の光伝送路は、光伝送路終端装置から送られてきた信号を再生中継して光網終端装置に向けて出力すると共に光網終端装置から送られてきた信号を再生中継して光伝送路終端装置に向けて出力する１個又は縦続接続した複数の再生中継装置を含み、第２の光伝送路は、光伝送路終端装置から送られてきた信号を再生中継して光網終端装置に向けて出力すると共に光網終端装置から送られてきた信号を再生中継して光伝送路終端装置に向けて出力する１個又は縦続接続した複数の再生中継装置を含み、第１の光伝送路の再生中継装置と第２の光伝送路の再生中継装置とが互いに対をなす伝送路分岐多数ユーザ接続ネットワークの故障監視システムにおいて、
前記第１及び第２の光伝送路の再生中継装置は、受信した信号から伝送路に生じた故障の発生を検出する故障検出手段をそれぞれ有し、
当該故障監視システムは、互いに対をなす再生中継装置の故障検出手段から出力された故障検出情報に基づいて、故障の発生及び故障の発生箇所を特定する情報を含む故障情報を作成する故障箇所特定手段を有し、当該故障情報を選択系伝送路を介して光伝送路終端装置に送信することを特徴とする。
【００１０】
本発明による２重化Ｂ−ＰＯＮに用いられる再生中継装置は、光伝送路終端装置と複数の光網終端装置との間の少なくとも一部の伝送路が２本の光伝送路により２重化されている伝送路分岐多数ユーザ接続ネットワークに用いられる再生中継装置であって、
光伝送路終端装置から送られてきた信号を再生中継して光網終端装置に送信する手段と、光網終端装置から送られてきた信号を再生中継して光伝送路終端装置に送信する手段と、受信した信号から光伝送路に生じた故障の発生を検出する故障検出手段と、他方の光伝送路に接続され、対をなす他方の再生中継装置に故障検出情報を送信する手段と、前記対をなす他方の再生中継装置から送られてきた故障検出情報を受信する手段と、当該再生中継装置の故障検出手段からの故障検出情報及び対をなす他方の再生中継装置の故障検出手段からの故障検出情報を用いて故障の発生箇所を特定する手段と、前記故障箇所特定手段からの出力信号に基づいて、故障の発生及び発生箇所に関する情報を含む故障情報を作成する手段とを具えることを特徴とする。
【００１１】
【作用】
２個のＢ−ＰＯＮレピータのＯＮＴ側インターフェースを一つの光スプリッタに接続する。その光スプリッタを光スプリッタＡと呼ぶことにする。光スプリッタＡは、他の光スプリッタと光ファイバを介してＯＮＴに接続する。ＯＬＴは、２個のＢ−ＰＯＮレピータのうちの一方の伝送路の再生中継装置を選択系とし、他方を非選択系とする。ここでは、選択系になったＢ−ＰＯＮレピータをＢ−ＰＯＮレピータ（０系）と呼び、非選択系になったＢ−ＰＯＮレピータをＢ−ＰＯＮレピータ（１系）と呼ぶ。２個のＢ−ＰＯＮレピータは両方ともＯＮＴから受信している。
【００１２】
このとき、Ｂ−ＰＯＮレピータ（１系）と光スプリッタＡとの間の光ファイバに断線の故障が発生したとする。Ｂ−ＰＯＮレピータ（０系）は、ＯＮＴからの受信信号に異常を検出しない。Ｂ−ＰＯＮレピータ（１系）はＯＮＴからの受信信号が無くなるため、異常を検出する。Ｂ−ＰＯＮレピータ（０系）は異常を検出せず、Ｂ−ＰＯＮレピータ（１系）が異常を検出するときは、Ｂ−ＰＯＮレピータ（１系）と光スプリッタＡとの間に故障が発生したものと判断する。Ｂ−ＰＯＮレピータ（０系）は選択系であるので，Ｂ−ＰＯＮレピータ（１系）と光スプリッタＡとの間に故障があることをＯＬＴへ通知する。
【００１３】
【実施例】
以下、図面を参照して本発明の実施例について説明する。図１は本発明による２重化Ｂ−ＰＯＮ及びその故障監視システムの一例を示す線図である。ＯＬＴ（光伝送路終端装置）１には、光ファイバから成る光線路２、第１の光スプリッタ（光分岐回路）３及び光線路４及び５を介して第１及び第２のＢ−ＰＯＮレピータ（再生中継装置）６及び７を接続する。これら第１及び第２のＢ−ＰＯＮレピータ６及び７は、それぞれ光線路８及び９を介して第２の光スプリッタ１０に接続する。第２の光スプリッタ１０を光線路１１を介して第３の光スプリッタ１２に接続し、第３の光スプリッタ１２にはｎ個のＯＮＴ（光網終端装置）１３ａ〜１３ｎを接続する。尚、第１及び第２のＢ−ＰＯＮレピータ６及び７は互いに対をなす関係にあるものとする。また、本例では、各光伝送路に１個の再生中継装置を配置した構成としたが、各光伝送路毎に縦続接続した複数の再生中継装置を配置することができる。この場合、第１の光伝送路の再生中継装置と第２の光伝送路の再生中継装置とが互いに対をなすように配置する。
【００１４】
第１の光スプリッタ３と第２の光スプリッタ１０との間の伝送路は、第１の光伝送路と第２の光伝送路により２重化され、第１のＢ−ＰＯＮレピータ６を含む光伝送路を第１の光伝送路とし、第２のＢ−ＰＯＮレピータを含む光伝送路を第２の光伝送路とする。これら第１及び第２の光伝送路は、いずれか一方の光伝送路が選択系の伝送路となり、ＯＬＴ１とＯＮＴ１３ａ〜１３ｎとの間の相互信号伝送を行う信号経路となる。他方の光伝送路は非選択系の伝送路となり、Ｂ−ＰＯＮレピータは到来した信号を受信するが、ＯＬＴ及びＯＮＴへの信号伝送は行わない。尚、選択系と非選択系との間の切り替えはＯＬＴ１の制御のもとで行われる。
【００１５】
第１の光伝送路が選択系伝送路の場合、ＯＬＴ１から送出された信号は、光線路２、第１の光スプリッタ３並びに光線路４及び５を介して第１及び第２のＢ−ＰＯＮレピータ６及び７にそれぞれ供給され、これら第１及び第２のＢ−ＰＯＮレピータにより受信される。第２のＢ−ＰＯＮレピータは非選択系であるため、入力信号を受信するが、ＯＮＴ１３へ送出しない。一方、第１のＢ−ＰＯＮレピータ６は選択系であるため、受信した信号を再生中継し、後段のＯＮＴ１３に送出する。また、ＯＮＴ１３から送信された信号は、伝送路を介して第１及び第２のＢ−ＰＯＮレピータ６及び７にそれぞれ供給され、これらレピータにより受信される。この場合、第１のＢ−ＰＯＮレピータ６は選択系であるから、受信した信号を再生中継してＯＬＴ１に向けて送出する。一方、第２のＢ−ＰＯＮレピータ７は非選択系であるため、入力信号を受信するだけで、ＯＬＴに出力しない。
【００１６】
次に、再生中継装置の構成について説明する。第１及び第２のＢ−ＰＯＮレピータ６及び７はほぼ同一の構造を有する。第１のＢ−ＰＯＮレピータ６は、ＯＬＴ１から送られてきた信号を受信する第１のＢ−ＰＯＮ終端部２１及びＯＮＴから送られてくる信号を受信する第２のＢ−ＰＯＮ終端部２２を有する。第１のＢ−ＰＯＮ終端部２１により受信された信号は、再生されて第２のＢ−ＰＯＮ終端部２２に送られ、第２のＢ−ＰＯＮ終端部２２からＯＮＴに送出される。また、第２のＢ−ＰＯＮ終端部２２により受信されたＯＮＴからの信号も再生され、インターフェース２３を経て第１のＢ−ＰＯＮ終端部２１に送られ、第１のＢ−ＰＯＮ終端部２１からＯＬＴに送出する。
【００１７】
第２のＢ−ＰＯＮ終端部２２により受信された信号は、故障検出部２４にも供給される。この故障検出部２４は、受信した信号のビットエラーや光パワーの減衰等に基づいて伝送経路に故障が発生したか否かを検出する。例えば、受信信号のパワー強度が所定の閾値以下の場合、光ファイバに断線等の故障が発生したものと判定することができる。そして、故障を検出した場合、故障検出情報を発生し、故障箇所特定部２５に供給する。尚、選択系及び非選択系のいずれの場合においても、各Ｂ−ＰＯＮレピータ６及び７はＯＬＴ及びＯＮＴから送信された信号を受信するため、非選択系の場合であっても伝送路に故障が発生したか否かを検出することができる。故障検出部２４からの故障検出情報は、伝送路に生じた故障の発生箇所を特定する故障箇所特定部２５に供給する。また、他方の対をなす第２のＢ−ＰＯＮレピータ７の故障検出部２４’からの故障検出情報も故障箇所特定部２５に供給する。
【００１８】
故障箇所特定部２５は、第１のＢ−ＰＯＮレピータの故障検出部２４からの故障検出情報及び第２のＢ−ＰＯＮレピータ７の故障検出部２４’からの故障検出情報に基づいて故障の発生箇所を特定する。例えば、第１の故障検出部２４からの故障検出情報を受信し第２の故障検出部２４’から故障検出情報を受信しない場合、第１の光伝送路に故障が発生したものと判断することができる。また、第１及び第２の故障検出部からの故障検出情報をほぼ同時に受信した場合、共通の伝送路、例えば第２の光スプリッタ１０とＯＮＴとの間の伝送路において故障が発生したものと判断することができる。
【００１９】
故障箇所判定部２５は、故障の発生位置を特定した場合、その情報を第１及び第２のＢ−ＰＯＮレピータのＰＬＯＡＭメッセージ作成部２６及び２６’の両方に送信する。そして、選択系のＢ−ＰＯＮレピータのＰＬＯＡＭメッセージ作成部から故障情報のメッセージを作成し、当該レピータのＢ−ＰＯＮ終端部から故障情報としてＯＬＴに送信する。このように構成することにより、伝送路の切り替えを行うことなく非選択系伝送路に生じた伝送故障を直ちにＯＬＴ１に送信することができる。
【００２０】
図２はＢ−ＰＯＮレピータの変形例を示す線図である。図１に示す実施例では、故障箇所特定部をＢ−ＰＯＮレピータの外部に設け、第１及び第２のＢ−ＰＯＮレピータで共用する構成を採用した。本例では、故障箇所特定部２５を各Ｂ−ＰＯＮレピータ毎にそれぞれ設ける。そして、第１のＢ−ＰＯＮレピータの故障検出部２４からの故障検出情報を自己の故障箇所特定部２５に供給すると共に第２のＢ−ＰＯＮレピータに設けた故障箇所特定部２５’にも供給する。同様に、第２のＢ−ＰＯＮレピータの故障検出部２４’からの故障検出情報を自己の故障箇所特定部２５’に供給すると共に第１のＢ−ＰＯＮレピータに設けた故障箇所特定部２５にも供給する。各故障箇所特定部２５及び２５’は２つの故障検出情報に基づいて故障の発生箇所を特定してＰＬＯＡＭメッセージ作成部２６及び２６’にそれぞれ供給する。そして、選択系のＢ−ＰＯＮレピータのＢ−ＰＯＮ終端部からＯＬＴに故障情報を送信する。本例では、故障箇所特定部をＢ−ＰＯＮレピータの中に作り込めばよいので、通信装置としてパッケージの個数を削減できるという利点がある。
【００２１】
ＰＬＯＡＭメッセージの機能は、ＩＴＵ−Ｔ勧告Ｇ．９８３．１に規定されている。既に規定されているＰＬＯＡＭメッセージを、故障の発生及び故障箇所特定部が特定した故障箇所に関する故障情報を伝達するために使用することはできないので、ＩＴＵ−Ｔ勧告Ｇ．９８３．１に規定されているが使用方法は規定されていないＰＬＯＡＭメッセージの一つであるＶｅｎｄｏｒ−ｓｐｅｃｉｆｉｃメッセージを、Ｂ−ＰＯＮレピータがＯＬＴへ故障情報を通知するために使用することにする。このメッセージは、ＰＯＮ−ＩＤの位置とｍｅｓｓａｇｅ　ｉｄｅｎｔｉｆｉｃａｔｉｏｎ　の範囲のみが規定されているメッセージであり、第４ｏｃｔｅｔから第１３ｏｃｔｅｔは自由に使用可能である。
【００２２】
図３はＶｅｎｄｏｒ−ｓｐｅｃｉｆｉｃメッセージの構成例を示す図である。上述のように、このＶｅｎｄｏｒ−ｓｐｅｃｉｆｉｃメッセージの第２ｏｃｔｅｔは既にＩＴＵ−Ｔ勧告Ｇ．９８３．１で規定されている。第３ｏｃｔｅｔにはｍｅｓｓａｇｅ　ｉｄｅｎｔｉｆｉｃａｔｉｏｎが入る。ＩＴＵ−Ｔ勧告Ｇ．９８３．１では、０１１１１０００〜０１１１１１１１の範囲の値を使用することを定めている。図３の実施例では０１１１１０００としているが、０１１１１０００〜０１１１１１１１の範囲であれば他の値でもよい。
【００２３】
故障箇所特定部が特定する故障箇所としては、図１または図２の光スプリッタ１０と第１のＢ−ＰＯＮレピータとの間と、光スプリッタ１０と第２のＢ−ＰＯＮレピータとの問の、少なくとも２種類がある。そこで、その２種類のために、第４ｏｃｔｅｔには２種類の故障箇所のｃｏｄｉｎｇを示す。故障箇所特定部が特定した故障箇所に従って、このメッセージを作成し、選択系のＢ−ＰＯＮレピータは、ＯＬＴへＰＬＯＡＭメッセージを送信する。
【００２４】
図４はこの発明の故障特定方法の一実施例であるフローチャートを示す図である。
【００２５】
図５は本発明によるＢ−ＰＯＮシステム及びその故障監視システムの変形例を示す線図である。図１で用いた構成要素と同一の構成要素には同一符号を付して説明する。本例では、ＯＬＴ１とＯＮＴ１３ａ〜１３ｎとの間の伝送路全体を第１の伝送路３０及び第２の伝送路３１により２重化する。尚、第１の伝送路３０と第２の伝送路３１は共に同一の構成とすることができ、或いはＢ−ＰＯＮレピータの数を相違させてもよい。第１の光スプリッタ３と第２の光スプリッタ１０との間の伝送路部分は、第１の光伝送路３２及び第２の光伝送路３３によりそれぞれ２重化する。第１及び第２の光伝送路は、縦続接続した複数のＢ−ＰＯＮレピータを有し、第１の光伝送路のＢ−ＰＯＮレピータと第２の光伝送路のＢ−ＰＯＮレピータは互いに対をなし、これらレピータの間に故障箇所特定部２５を設ける。このように、多段再生中継方式の場合にも勿論本発明の故障監視システムを適用することができる。
【００２６】
【発明の効果】
以上説明したように、本発明によれば、非選択系伝送路に伝送故障が発生しても、伝送路の切り替えを行うことなく直ちに故障の発生を光伝送路終端装置に送信することができる。
【図面の簡単な説明】
【図１】本発明によるＢ−ＰＯＮの故障監視システムの一例を示す線図である。
【図２】本発明によるＢ−ＰＯＮの故障監視システムの変形例を示す線図である。
【図３】本発明によって特定した故障情報をＢ−ＰＯＮレピータがＯＬＴへ送信するときに用いるＶｅｎｄｏｒ−ｓｐｅｃｉｆｉｃメッセージの一例を示す線図である。
【図４】本発明の故障箇所を特定する方法のフローチャートの例を示す図である。
【図５】本発明によるＢ−ＰＯＮの故障監視システムの変形例を示す線図である。
【符号の説明】
１　ＯＬＴ
２，４，５，８，９，１１　光線路
３，１０，１２　光スプリッタ
６，７　Ｂ−ＰＯＮレピータ
１３ａ〜１３ｎ　ＯＮＴ
２１，２２　Ｂ−ＰＯＮ終端部
２３　インターフェース
２４　故障検出部
２５　故障箇所特定部
２６　ＰＬＯＡＭメッセージ作成部
【図１】
2004104182.tif 000003
【図２】
2004104182.tif 000004
【図３】
2004104182.tif 000005
【図４】
2004104182.tif 000006
【図５】
2004104182.tif 000007